(57)【要約】【課題】ネジ止め等の作業を行うことなく、支持アームに対し、ワンタッチで、しかも確実に、コンバータユニットを取り付けることができ、かつ、十分な強度、耐久性を備えたパラボラアンテナを提供する。【解決手段】接合用突部４が形成されたコンバータユニット１を支持アーム３の先端に取り付けてなるパラボラアンテナであって、接合用突部４は、長手方向の全長にわたってコンバータユニット１のケース２に接続されるとともに、係合溝５が形成され、支持アーム３の先端には、接合用突部４及び係合溝５の形状に対応した空洞６、突条部７、及び、スリット１１が形成されていることを特徴とする。【選択図】図３
2007129289.tif 000002
【特許請求の範囲】
【請求項１】
接合用突部が形成されたコンバータユニットを支持アームの先端に取り付けてなるパラボラアンテナであって、
前記接合用突部は、長手方向の全長にわたって前記コンバータユニットのケースに接続されるとともに、係合溝又は突条部が形成され、
前記支持アームの先端に、前記接合用突部及び前記係合溝又は突条部の形状に対応した空洞、突条部又は係合溝、及び、スリットが形成されていることを特徴とするパラボラアンテナ。
【請求項２】
前記コンバータユニットが略Ｌ字型に構成され、
前記接合用突部が、前記ケース表面のうち、屈曲部を挟んで４５〜１３５°の角度をなす二つの面に跨るように接続されていることを特徴とする請求項１に記載のパラボラアンテナ。
【請求項３】
前記係合溝の最奥部には嵌合孔が形成され、
前記突条部の先端が、前記支持アームの先端面から外側へ突出しており、
前記コンバータユニットと支持アームの接合状態において、前記突条部の先端が、前記嵌合孔に嵌合するように構成されていることを特徴とする請求項１に記載のパラボラアンテナ。
【請求項４】
前記ケースの、前記接合用突部の外側端面近傍、及び、前記支持アームの底面側であって、前記スリットの終端部近傍に、固定手段が形成されていることを特徴とする、請求項１に記載のパラボラアンテナ。
【発明の詳細な説明】
【技術分野】
【０００１】
本発明は、衛星放送の受信に用いられるパラボラアンテナに関し、特に、支持アームとコンバータユニットとの接合部分に特徴を有するパラボラアンテナに関する。
【背景技術】
【０００２】
衛星放送受信用のパラボラアンテナは、通常、ケース内に放射器及びコンバータ等を収容してなるコンバータユニット、支持アーム、及び、ディッシュ（反射板）等によって構成され、ディッシュの下側から前方へ向かって突出させた支持アームの先端に、コンバータユニットが取り付けられ、固定されるようになっている。
【０００３】
支持アームの先端とコンバータユニットとの接合部分の構造には、様々なタイプのものがある。図４は、その従来例の一つである。図４の例では、略Ｌ字型のコンバータユニット３１の顎下部分に、斜め下方へ向かって突出させた突起３２が形成されており、この突起３２を、支持アーム３３の先端部に形成した空洞３６内に進入させ、この状態でネジ止めすることにより、支持アーム３３の先端部においてコンバータユニット３１を確実に固定できるようになっている。
【特許文献１】特開２００４−１５３８６３号公報
【発明の開示】
【発明が解決しようとする課題】
【０００４】
ところで、衛星放送受信用のパラボラアンテナは、主に屋外に設置され、風雨に晒されることになるため、支持アーム、コンバータユニット、及び、それらの接合部分は、当然のことながら、それぞれが十分な強度と耐久性を有している必要がある。しかしながら、従来のパラボラアンテナには、コンバータユニットにおける接合部分の強度或いは耐久性が十分でないものが多い。
【０００５】
また、図４に示したように、接合状態を維持するための手段として、ネジ３５を採用しているものが殆どであるが、長年の使用によりネジ３５が緩み、コンバータユニット３１が脱落してしまう可能性があるほか、組立作業時においては、一連の作業の中でいちいちネジ止めを行わなければならず、組立作業の円滑化を阻害してしまうという問題がある。
【０００６】
本発明は、このような従来技術における問題を解決すべくなされたものであって、ネジ止め等の作業を行うことなく、支持アームに対し、ワンタッチで、しかも確実に、コンバータユニットを取り付けることができ、かつ、十分な強度、耐久性を備えたパラボラアンテナを提供することを目的とする。
【課題を解決するための手段】
【０００７】
本発明のパラボラアンテナは、接合用突部が形成されたコンバータユニットを支持アームの先端に取り付けてなり、接合用突部は、長手方向の全長にわたってコンバータユニットのケースに接続されるとともに、係合溝（又は突条部）が形成され、支持アームの先端に、接合用突部及び係合溝（又は突条部）の形状に対応した空洞、突条部（又は係合溝）、及び、スリットが形成されていることを特徴としている。
【０００８】
尚、コンバータユニットは略Ｌ字型に構成され、接合用突部が、ケース表面のうち、屈曲部を挟んで４５〜１３５°の角度をなす二つの面に跨るように接続されていることが好ましく、また、係合溝の最奥部に嵌合孔が形成されるとともに、突条部の先端が支持アームの先端面から外側へ突出し、コンバータユニットと支持アームの接合状態において、突条部の先端が、嵌合孔に嵌合するように構成されていることが好ましい。更に、ケースの、接合用突部の外側端面近傍、及び、支持アームの底面側であって、スリットの終端部近傍には、固定手段が形成されていることが好ましい。
【発明の効果】
【０００９】
本発明のパラボラアンテナは、支持アームの先端に形成されている空洞内へ、コンバータユニットの接合用突部を差し込み、奥までスライドさせるだけで簡単に組み立てることができ、しかも、ネジ止め等を行わなくてもしっかりと固定することができる。また、十分な強度と耐久性を備えており、様々な外力を受けたとしても、支持アームからコンバータユニットが脱落してしまうというような事態を好適に回避することができる。
【発明を実施するための最良の形態】
【００１０】
以下、添付図面に沿って、本発明のパラボラアンテナを実施するための最良の形態について説明する。図１は、本発明に係るパラボラアンテナの構成要素の一つであるコンバータユニット１の斜視図である。図示されているように、このコンバータユニット１は略Ｌ字型に構成され、ケース２の屈曲部２ａ近傍には接合用突部４が形成されている。
【００１１】
接合用突部４は、長手方向と直交する断面の形状、及び、ケース２の表面からの高さが、全長（約４ｃｍ）にわたって一定となるように構成されている。また、接合用突部４の左右両側面には、係合溝５がそれぞれ一条ずつ形成されており、それらの係合溝５の最奥部には嵌合孔８が形成されている。更に、ケース２には、接合用突部４の外側端面４ａ近傍に、凹部１０（固定手段）が形成されている。
【００１２】
図２は、図１のコンバータユニット１を支持する支持アーム３の先端部の形状を示す図であり、図２（１）は上方からの斜視図、図２（２）は下方からの斜視図である。図示されているように、先端部には、図１に示した接合用突部４の形状に対応した空洞６が形成されている。尚、空洞６の下側には、スリット１１が形成されるとともに、その両縁には、コンバータユニット１の係合溝５の形状に対応した突条部７が一条ずつ形成されている。尚、二つの突条部７，７の先端７ａ，７ａはいずれも、支持アーム３の先端面３ａから外側へ所定量分突出した状態となっている。また、支持アーム３の底面側であって、スリット１１の終端部近傍には、固定用突起９（固定手段）が形成されている。
【００１３】
図３は、図１のコンバータユニット１と図２の支持アーム３の接合状態を示す一部切欠斜視図である。支持アーム３の先端にコンバータユニット１を取り付ける場合、図示されているように、コンバータユニット１の接合用突部４を、支持アーム３の先端に形成されている空洞６内へ進入させていく。このとき、空洞６の形状は接合用突部４の形状に対応しており、突条部７の形状は係合溝５の形状に対応しているため、接合用突部４は空洞６内へ、また、突条部７は係合溝５内へ円滑に進入していくことになる。
【００１４】
尚、従来の接合部分の構造は、図４に示したように、突起３２の根本部分（基端部）のみがコンバータユニット３１のケースに接続されていたため、強度及び耐久性の点で問題があったが、本実施形態においては、接合用突部４が、ケース２の表面の一部のみではなく、ケース２の表面のうち、屈曲部２ａを挟んで所定の角度（好ましくは４５〜１３５°）をなす二つの面（図１においてはＡ，Ｂ）に跨るように接続され、更に、長手方向の全長にわたって接合用突部４がケース２に対して接続されているので、十分な強度と耐久性を発揮する。
【００１５】
また、本実施形態においては、接合用突部４の肉薄部分（両サイドの係合溝５，５間の部位）が、長手方向の全長にわたってケース２に接続されているので、かかる形状の接合用突部４を、図４に示したような空洞３６内へ進入させることはできないが、図２に示すように、本実施形態の支持アーム３は、底面側にスリット１１が形成されているため、問題なく接合用突部４を空洞６内へ進入させることができる。
【００１６】
また、本実施形態においては、支持アーム３の先端面３ａがコンバータユニット１の屈曲部２ａに突き当たるまで支持アーム３或いはコンバータユニット１をスライドさせると、支持アーム３の固定用突起９がコンバータユニット１の凹部１０内へ嵌入し、強固な接合状態が得られるようになっている。より詳細には、図２に示したように、固定用突起９は、先端面３ａ側が緩傾斜面となっている一方で、反対側の面が支持アーム３の底面に対して垂直となっているため、取付時において支持アーム３等をスライドさせる際には、固定用突起９（或いは他の部分）が弾性限界内で変形することにより、固定用突起９を凹部１０内へ容易に嵌入させることができるが、支持アーム３からコンバータユニット１を取り外そうとする際には、固定用突起９の垂直面が凹部１０の縁に引っ掛かり、接合状態が容易には解除されず、しっかりと固定できるようになっている。
【００１７】
尚、図３に示したような接合状態において、支持アーム３の突条部７，７（図２参照）が外側へ開いてしまうような力が加わった場合、突条部７が係合溝５内から外れて、コンバータユニット１が支持アーム２から脱落してしまう可能性があるが、本実施形態においては、突条部７，７の先端７ａ，７ａが、係合溝５の最奥部に形成されている嵌合孔８内に嵌合するように構成されており、突条部７，７の動作が規制されることになるため、屋外等に設置され、様々な外力を受けたとしても、支持アーム２からコンバータユニット１が脱落してしまうというような事態を好適に回避することができる。
【００１８】
また、本実施形態においては、接合用突部４に係合溝５が形成され、支持アーム２に突条部７が形成されているが、それらを入れ替える、つまり、接合用突部４に突条部を形成し、支持アーム２に係合溝を形成することもできる。
【図面の簡単な説明】
【００１９】
【図１】本発明のパラボラアンテナの構成要素の一つであるコンバータユニット１の斜視図。
【図２】本発明のパラボラアンテナの構成要素の一つである支持アーム３の先端部の斜視図。
【図３】図１のコンバータユニット１と図２の支持アーム３との接合状態を示す一部切欠斜視図。
【図４】従来のパラボラアンテナにおけるコンバータユニット３１と支持アーム３３との接合構造の一例を示す図。
【符号の説明】
【００２０】
１，３１：コンバータユニット、
２：ケース、
２ａ：屈曲部、
３，３３：支持アーム、
３ａ：先端面、
４：接合用突部、
４ａ：外側端面、
５：係合溝、
６，３６：空洞、
７：突条部、
７ａ：先端、
８：嵌合孔、
９：固定用突起、
１０：凹部、
１１：スリット、
３２：突起、
３５：ネジ
【図１】
2007129289.tif 000003
【図２】
2007129289.tif 000004
【図３】
2007129289.tif 000005
【図４】
2007129289.tif 000006